(57)【要約】【課題】ハンドオーバーの性能を向上し、安定した通信を維持する。【解決手段】基地局間通信が可能な複数の基地局２０と、いずれかの当該基地局に無線接続可能な移動局３０と、から構成される無線通信システムにおいて、基地局２０が、通信中の移動局３０との無線通信における通信品質の劣化を検出すると、複数の基地局２０から無線リソースのスケジューリング情報を取得し、当該スケジューリング情報と、自局の移動局３０への無線リソースのスケジューリングとに基づいて、干渉源となる他の移動局３０及び当該他の移動局３０と通信中の他の基地局２０を特定し、当該特定した他の移動局３０をハンドオーバーさせるよう当該他の基地局２０に対して要求する。【選択図】図２
2013207562.tif 000002
【特許請求の範囲】
【請求項１】
基地局間通信が可能な複数の基地局と、いずれかの当該基地局に無線接続可能な移動局と、から構成される無線通信システムであって、
前記基地局は、
通信中の前記移動局との無線通信における通信品質の劣化を検出すると、複数の基地局から無線リソースのスケジューリング情報を取得し、当該スケジューリング情報と、自局の前記移動局への無線リソースのスケジューリングとに基づいて、干渉源となる他の移動局及び当該他の移動局と通信中の他の基地局を特定し、当該特定した他の移動局をハンドオーバーさせるよう当該他の基地局に対して要求する基地局制御部、を備えることを特徴とする無線通信システム。
【請求項２】
前記基地局は、自局の位置情報を記憶する記憶部、をさらに備え、
前記基地局制御部は、前記複数の基地局の位置情報を取得し、当該取得した複数の基地局の位置情報と、前記記憶する自局の位置情報とに基づいて前記スケジューリング情報を要求する隣接する基地局を特定する、
ことを特徴とする請求項１に記載の無線通信システム。
【請求項３】
前記移動局は、自局の位置情報を定期的に取得して前記基地局に送信しており、
前記基地局の基地局制御部は、前記隣接する基地局に対して、前記通信品質の劣化を検出した時点における、前記移動局と同一の無線リソースを使用した移動局に関する情報を要求し、
前記隣接する基地局の基地局制御部は、前記要求を受信すると、前記同一の無線リソースを使用した移動局に関する情報と、当該移動局の位置情報とを含めた前記スケジューリング情報を送信し、
前記基地局の基地局制御部は、取得した前記スケジューリング情報に含まれる、前記同一の無線リソースを使用した移動局に関する情報と、当該移動局の位置情報とに基づいて、前記干渉源となる他の移動局を特定する、
ことを特徴とする請求項２に記載の無線通信システム。
【請求項４】
前記移動局と通信中である基地局の基地局制御部は、自局に前記他の移動局をハンドオーバーさせるよう前記他の基地局に対して要求する、
ことを特徴とする請求項１乃至３の何れか一項に記載の無線通信システム。
【請求項５】
基地局間通信が可能な複数の基地局と、いずれかの当該基地局に無線接続可能な移動局と、から構成される無線通信システムの基地局であって、
通信中の前記移動局との無線通信における通信品質の劣化を検出すると、複数の基地局から無線リソースのスケジューリング情報を取得し、当該スケジューリング情報と、自局の前記移動局への無線リソースのスケジューリングとに基づいて、干渉源となる他の移動局及び当該他の移動局と通信中の他の基地局を特定し、当該特定した他の移動局をハンドオーバーさせるよう当該他の基地局に対して要求する基地局制御部、を備えることを特徴とする基地局。
【請求項６】
基地局間通信が可能な複数の基地局と、いずれかの当該基地局に無線接続可能な移動局と、から構成される無線通信システムの通信制御方法であって、
前記基地局は、
通信中の前記移動局との無線通信における通信品質の劣化を検出すると、複数の基地局から無線リソースのスケジューリング情報を取得し、当該スケジューリング情報と、自局の前記移動局への無線リソースのスケジューリングとに基づいて、干渉源となる他の移動局及び当該他の移動局と通信中の他の基地局を特定し、当該特定した他の移動局をハンドオーバーさせるよう当該他の基地局に対して要求する、
ことを特徴とする通信制御方法。
【発明の詳細な説明】
【技術分野】
【０００１】
本発明は、無線通信を行う、無線通信システム、基地局、および通信制御方法に関するものである。
【背景技術】
【０００２】
移動局と複数の基地局を備える無線通信システムでは、移動局が複数の基地局のカバーエリアを移動する際にハンドオーバー処理を行っている（例えば、特許文献１）。
【先行技術文献】
【特許文献】
【０００３】
【特許文献１】特開２００８−３００９９２号公報
【発明の概要】
【発明が解決しようとする課題】
【０００４】
しかしながら、上記ハンドオーバー処理は、通信中の基地局と移動局間の通信品質が所定閾値以下にならないと開始されない。そのため、移動局が通信中の基地局以外の隣接する他の基地局のセルエリアに入っても、通信中の基地局と移動局間の通信品質が所定閾値以下にならない限り、ハンドオーバー処理が開始されず、結果、他の基地局と当該基地局と通信中の移動局との間の無線通信に干渉を与えてしまうおそれがある。
【０００５】
本発明は、このような課題に鑑み、ハンドオーバーの性能を向上し、安定した通信を維持することができる無線通信システム、基地局、及び通信制御方法を提供することを目的としている。
【課題を解決するための手段】
【０００６】
上記課題を解決するために、本発明にかかる代表的な構成は、基地局間通信が可能な複数の基地局と、いずれかの当該基地局に無線接続可能な移動局と、から構成される無線通信システムであって、前記基地局は、通信中の前記移動局との無線通信における通信品質の劣化を検出すると、複数の基地局から無線リソースのスケジューリング情報を取得し、当該スケジューリング情報と、自局の前記移動局への無線リソースのスケジューリングとに基づいて、干渉源となる他の移動局及び当該他の移動局と通信中の他の基地局を特定し、当該特定した他の移動局をハンドオーバーさせるよう当該他の基地局に対して要求する基地局制御部、を備えることを特徴とする。
【０００７】
また、前記基地局は、自局の位置情報を記憶する記憶部、をさらに備え、前記基地局制御部は、前記複数の基地局の位置情報を取得し、当該取得した複数の基地局の位置情報と、前記記憶する自局の位置情報とに基づいて前記スケジューリング情報を要求する隣接する基地局を特定してもよい。
【０００８】
また、前記移動局は、自局の位置情報を定期的に取得して前記基地局に送信しており、前記基地局の基地局制御部は、前記隣接する基地局に対して、前記通信品質の劣化を検出した時点における、前記移動局と同一の無線リソースを使用した移動局に関する情報を要求し、前記隣接する基地局の基地局制御部は、前記要求を受信すると、前記同一の無線リソースを使用した移動局に関する情報と、当該移動局の位置情報とを含めた前記スケジューリング情報を送信し、前記基地局の基地局制御部は、取得した前記スケジューリング情報に含まれる、前記同一の無線リソースを使用した移動局に関する情報と、当該移動局の位置情報とに基づいて、前記干渉源となる他の移動局を特定してもよい。
【０００９】
また、前記移動局と通信中である基地局の基地局制御部は、自局に前記他の移動局をハンドオーバーさせるよう前記他の基地局に対して要求してもよい。
【００１０】
本発明にかかる他の構成は、基地局間通信が可能な複数の基地局と、いずれかの当該基地局に無線接続可能な移動局と、から構成される無線通信システムの基地局であって、
通信中の前記移動局との無線通信における通信品質の劣化を検出すると、複数の基地局から無線リソースのスケジューリング情報を取得し、当該スケジューリング情報と、自局の前記移動局への無線リソースのスケジューリングとに基づいて、干渉源となる他の移動局及び当該他の移動局と通信中の他の基地局を特定し、当該特定した他の移動局をハンドオーバーさせるよう当該他の基地局に対して要求する基地局制御部、を備えることを特徴とする。
【００１１】
本発明にかかる他の構成は、基地局間通信が可能な複数の基地局と、いずれかの当該基地局に無線接続可能な移動局と、から構成される無線通信システムの通信制御方法であって、前記基地局は、通信中の前記移動局との無線通信における通信品質の劣化を検出すると、複数の基地局から無線リソースのスケジューリング情報を取得し、当該スケジューリング情報と、自局の前記移動局への無線リソースのスケジューリングとに基づいて、干渉源となる他の移動局及び当該他の移動局と通信中の他の基地局を特定し、当該特定した他の移動局をハンドオーバーさせるよう当該他の基地局に対して要求する、ことを特徴とする。
【発明の効果】
【００１２】
ハンドオーバーの性能を向上し、安定した通信を維持することができる。
【図面の簡単な説明】
【００１３】
【図１】本実施形態に係る無線通信システムの概略的な構成を示したブロック図である。
【図２】本実施形態に係る基地局の概略的な構成を示したブロック図である。
【図３】本実施形態に係る基地局の無線通信処理を示したフローチャートである。
【図４】本実施形態に係る基地局の無線通信処理を示したフローチャートである。
【図５】本実施形態に係る基地局に無線通信処理を説明するための図である。
【発明を実施するための形態】
【００１４】
以下、本発明の一実施形態を図面に基づいて詳細に説明する。
【００１５】
図１は、本発明の一実施形態に係る通信システムの構成を示す図である。通信システム１０は、複数の基地局２０（基地局２０ａ、２０ｂ、２０ｃ）と、移動局３０（移動局３０ａ、３０ｂ、３０ｃ）と、ネットワーク４０とから構成される。
【００１６】
基地局２０は、移動局３０に無線接続する。そして、基地局２０は、ネットワーク４０からデータを受信し、当該データを移動局３０に送信する。また、基地局２０は、移動局３０からデータを受信し、ネットワーク４０に送信する。さらに、基地局２０は、ネットワーク４０を介して、または、直接に、他の基地局２０とデータを送受信する。
【００１７】
図２は、本実施形態に係る基地局の構成を示す図である。基地局２０は、通信部２１０と、インターフェース（Ｉ／Ｆ）部２２０と、記憶部２３０と、制御部２４０と、アンテナＡＮＴとを備えている。
【００１８】
通信部２１０は、アンテナＡＮＴを介して移動局３０から送信される上り無線信号を受信してベースバンド信号に変換（ダウンコンバート）後に、復調及び復号処理を行うことでデータを得る。通信部２１０は、得られたデータを制御部２４０に出力する。
【００１９】
また、通信部２１０は、制御部２４０からのデータの符号化及び変調を行ってベースバンド信号を得た後に、該ベースバンド信号を下り無線信号に変換（アップコンバート）する。通信部２１０は、アンテナＡＮＴを介して移動局３０に下り無線信号を送信する。
【００２０】
Ｉ／Ｆ部２２０は、ネットワーク４０から移動局３０宛のデータを受信する。また、ＩＦ部２２０は、移動局３０から受信したデータを、ネットワーク４０に向けて送信する。さらに、Ｉ／Ｆ部２２０は、ネットワーク４０を介して、または、直接に、他の基地局２０とデータを送受信する。
【００２１】
記憶部２３０は、例えばメモリによって構成され、基地局２０における制御などに用いられる各種情報が記憶される。また、記憶部２３０は、自局のセルに関するセル情報が記憶される。このセル情報は、自局の設置位置情報や、所定のセル半径に関する情報である。この自局の設置位置情報は、基地局２０が備えるＧＰＳ（図示しない）で取得されてもよいし、基地局２０の設置時に事業者が入力してもよい。また、記憶される所定のセル半径は、各基地局が最大送信出力で無線信号を送信するときに形成可能なセル半径であってもよいし、事業者が予め設定したセル半径であってもよい。このセル半径に関する情報は、基地局２０の設置時に事業者が入力してもよいし、設置後、運用開始時に事業者がネットワーク４０を介して送信し、基地局２０に受信させてもよい。
【００２２】
記憶部２３０は、さらに、後述する制御部２４０が、移動局３０との通信に使用した一定期間の無線リソースに関する情報が記憶される。また、記憶部２３０は、通信中の移動局３０から定期的に送信される当該移動局３０の位置情報が記憶される。
【００２３】
制御部２４０は、例えばＣＰＵによって構成され、基地局２０が具備する各種機能を制御する。制御部２４０は、移動局３０と無線通信するにあたり、無線リソースを割り当てる。そして、制御部２４０は、割り当てた無線地ソースに関する情報を記憶部２３０に記憶する。また、制御部２４０は、通信中の移動局３０から当該移動局３０の位置情報を定期的に取得し、記憶部２３０に記憶する。さらに、制御部２４０は、割り当てた無線リソースを使用して移動局３０と無線通信中、当該移動局３０から送信される無線信号の通信品質が劣化すると、当該移動局３０との無線通信に干渉が生じていると判断し、当該干渉の干渉源となっている他の移動局３０を特定する。そして、制御部２４０は、特定した他の移動局３０と無線通信中の他の移動局３０に対して、当該他の移動局３０をハンドオーバーするよう要求する。なお、制御部２４０における処理の詳細は、後述する。
【００２４】
次に、無線通信システム１０における基地局２０および移動局３０の無線通信処理を、図３〜５を用いて説明する。
【００２５】
図３は、図１に示される無線通信システム１０における、移動局３０ａと無線通信中の基地局２０ａにおける無線通信処理を示すフローチャートである。図４は、図１に示される無線通信システム１０における、移動局３０ｂと無線通信中の基地局２０ｂ、および、移動局３０ｃと無線通信中の基地局２０ｃにおける無線通信処理を示すフローチャートである。
【００２６】
まず、図３のステップＳ３０１において、基地局２０ａの制御部２４０は、通信中の移動局３０ａから、当該移動局３０ａの位置情報を定期的に取得している。
【００２７】
ステップＳ３０２において、基地局２０ａの制御部２４０は、移動局３０ａが送信した無線信号の受信品質値（例えば、ＲＳＳＩ）が劣化の有無を判定する。
【００２８】
基地局２０ａの制御部２４０は、受信品質値が劣化し、干渉が生じていると判定すると（ステップＳ３０２Ｙｅｓに相当。）、ステップＳ３０３において、複数の基地局２０の位置情報を取得し、ステップＳ３０４に移行する。この位置情報の取得は、予め基地局２０ａの記憶部２３０に記憶される複数の基地局２０の位置情報を取得してもよいし、その都度、基地局２０ａのＩ／Ｆ部２２０を介して複数の基地局２０の各々から位置情報を取得してもよいし、上位装置（例えば、サーバ）から位置情報を取得してもよい。
【００２９】
一方、基地局２０ａの制御部２４０は、受信品質値が劣化しておらず、干渉が生じていないと判定すると（ステップＳ３０２Ｙｅｓに相当。）、ステップＳ３０１に移行し、上記処理を継続する。
【００３０】
ステップＳ３０４において、基地局２０ａの制御部２４０は、取得した複数の基地局２０の位置情報と、自局の位置情報とを用いて隣接する基地局２０（ここでは、図１に示される基地局２０ｂ、２０ｃとする。）を特定する。この隣接する基地局２０の特定にあたっては、例えば、基地局２０ａの制御部２４０は、自局と、位置情報を取得した複数の基地局２０の各々との距離を算出し、当該算出した距離が、記憶部２３０に記憶される所定のセル半径の２倍程度となるものを隣接する基地局２０として特定する。
【００３１】
ステップＳ３０５において、基地局２０ａの制御部２４０は、特定した隣接する基地局２０ｂ、２０ｃに対して、各基地局２０の無線リソースのスケジューリング情報をＩ／Ｆ部２２０を介して要求する。
【００３２】
図４（ａ）のステップＳ４０１において、基地局２０ｂ、２０ｃの制御部２４０は、無線リソースのスケジューリング情報を、Ｉ／Ｆ部２２０を介して基地局２０ａからのスケジューリング情報の要求を受信する。
【００３３】
ステップＳ４０２において、基地局２０ｂ、２０ｃの制御部２４０は、無線リソースのスケジューリング情報を、Ｉ／Ｆ部２２０を介して基地局２０ａに送信する。
【００３４】
図３のステップＳ３０６において、基地局２０ａの制御部２４０は、隣接する基地局２０ｂ、２０ｃから、各基地局２０の無線リソースのスケジューリング情報を受信する。
【００３５】
ステップＳ３０７において、基地局２０ａの制御部２４０は、隣接する基地局２０ｂ、２０ｃから受信したスケジューリング情報から、干渉源となる移動局３０、当該移動局３０と無線通信中の基地局２０を特定する。
【００３６】
ここで、図５を用いて、図３のステップＳ３０５〜ステップＳ３０７、および、図４のステップＳ４０１〜Ｓ４０２の処理に関する詳細を説明する。図５には、基地局２０ａの制御部２４０が、ステップＳ３０２において干渉が生じていると判定した時の無線リソースを含むフレームにおける、基地局２０ａ〜２０ｃのスケジューリングを示している。なお、ここでは、無線リソースが時間と周波数とにより規定されているものとする。そして、図５（ａ）は基地局２０ａのスケジューリング、図５（ｂ）は、基地局２０ｂのスケジューリング、図５（ｃ）は、基地局２０ｃのスケジューリングを示している。
【００３７】
そして、基地局２０ａの制御部２４０は、スケジューリング情報として、後述するような情報を含むものを要求することが可能である。
【００３８】
（第１のスケジューリング情報について）
基地局２０ａの制御部２４０は、ステップＳ３０５において、干渉が生じていると判定した無線リソースＸを含むフレームと同一タイミングのフレーム内の全ての無線リソースと、当該無線リソースを割り当てた移動局３０と、当該移動局３０の位置情報とを対応付けた情報をスケジューリング情報（以下、第１のスケジューリング情報と記載する。）として要求する。
【００３９】
ステップＳ４０１において、第１のスケジューリング情報を要求された基地局２０ｂの制御部２４０は、図５（ｂ）に示すように、各無線リソースと、当該各無線リソースを割り当てた移動局３０と、当該移動局３０の位置情報を対応付けた情報（例えば、無線リソースＹと、移動局３０ｂと、移動局３０ｂの位置情報を対応付けた情報）を含む第１のスケジューリング情報を、ステップＳ４０２において、Ｉ／Ｆ部２２０を介して基地局２０ａに送信する。基地局２０ｃの制御部２４０も、ステップＳ４０１〜Ｓ４０２において、基地局２０ｂの制御部２４０と同様の処理を行う。
【００４０】
基地局２０ａの制御部２４０は、ステップＳ３０６において、基地局２０ｂ、２０ｃから第１のスケジューリング情報を受信する。続いて、ステップＳ３０７において、基地局２０ａの制御部２４０は、基地局２０ｂから受信した第１のスケジューリング情報から、干渉が生じていると判定した無線リソースＸと同一の時間および周波数で規定される無線リソースＹが割り当てられている移動局３０ｂと、当該移動局３０ｂの位置情報を抽出する。また、基地局２０ａの制御部２４０は、基地局２０ｃから受信した第１のスケジューリング情報から、干渉が生じていると判定した無線リソースＸと同一の時間および周波数で規定される無線リソースＺが割り当てられている移動局３０ｃと、当該移動局３０ｃの位置情報を抽出する。
【００４１】
次に、基地局２０ａの制御部２４０は、移動局３０ａの位置情報と、移動局３０ｂ、３０ｃの各位置情報とを比較し、移動局３０ａとの距離が閾値以内であるか判定する。判定の結果、移動局３０ａとの距離が閾値以内であると判定した移動局３０は、干渉源の移動局３０（ここでは、移動局３０ｃとする。）であると特定する。一方、移動局３０ａとの距離が閾値を超えると判定した移動局３０（ここでは、移動局３０ｂとする。）は、干渉源の移動局３０でないものとする。そして、基地局２０ａの制御部２４０は、干渉源である移動局３０ｃと、当該移動局３０ｃと無線通信中の基地局２０ｃを特定する。
【００４２】
（第２のスケジューリング情報について）
基地局２０ａの制御部２４０は、ステップＳ３０５において、干渉が生じていると判定した無線リソースＸを含むフレームと同一タイミングのフレーム内における、当該無線リソースＸに対応する無線リソースを割り当てた移動局３０と、当該移動局３０の位置情報とを対応付けた情報をスケジューリング情報（以下、第２のスケジューリング情報と記載する。）として要求する。
【００４３】
ステップＳ４０１において、第２のスケジューリング情報を要求された基地局２０ｂの制御部２４０は、図５（ｂ）に示すように、各無線リソースと、当該各無線リソースを割り当てた移動局３０と、当該移動局３０の位置情報を対応付けた情報（ここでは、例えば、移動局３０ｂと、移動局３０ｂの位置情報のみを対応付けた情報）を含む第２のスケジューリング情報を、ステップＳ４０２において、Ｉ／Ｆ部２２０を介して基地局２０ａに送信する。基地局２０ｃの制御部２４０も、ステップＳ４０１〜Ｓ４０２において、基地局２０ｂの制御部２４０と同様の処理を行う。なお、無線地ソースＸに対応する無線リソースを割り当てている移動局３０が存在しない場合は、第２のスケジューリング情報にその旨を示す情報を含んで送信してもよいし、第２のスケジューリング情報そのものを送信しなくてもよい。
【００４４】
基地局２０ａの制御部２４０は、ステップＳ３０６において、基地局２０ｂ、２０ｃから第２のスケジューリング情報を受信する。続いて、ステップＳ３０７において、基地局２０ａの制御部２４０は、基地局２０ｂから受信した第２のスケジューリング情報から、移動局３０ｂと、当該移動局３０ｂの位置情報とを抽出する。また、基地局２０ａの制御部２４０は、基地局２０ｃから受信した第２のスケジューリング情報から、移動局３０ｃと、当該移動局３０ｃの位置情報とを抽出する。
【００４５】
次に、基地局２０ａの制御部２４０は、移動局３０ａの位置情報と、移動局３０ｂ、３０ｃの各位置情報とを比較し、移動局３０ａとの距離が閾値以内であるか判定する。判定の結果、移動局３０ａとの距離が閾値以内であると判定した移動局３０は、干渉源の移動局３０（ここでは、移動局３０ｃとする。）であると特定する。一方、移動局３０ａとの距離が閾値を超えると判定した移動局３０（ここでは、移動局３０ｂとする。）は、干渉源の移動局３０でないものとする。そして、基地局２０ａの制御部２４０は、干渉源である移動局３０ｃと、当該移動局３０ｃと無線通信中の基地局２０ｃを特定する。
【００４６】
図３のステップＳ３０８において、基地局２０ａの制御部２４０は、干渉源となる移動局３０ｃと無線通信中の基地局２０ｃに対して、当該移動局３０ｃのハンドオーバーを要求する。
【００４７】
図４（ｂ）のステップＳ４５１において、基地局２０ｃの制御部２４０は、基地局２０ａから、移動局３０ｃのハンドオーバー要求を受信する。
【００４８】
ステップＳ４５２において、基地局２０ｃの制御部２４０は、移動局３０ｃを基地局２０ａにハンドオーバーさせるための処理を開始する。
【００４９】
以上、本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５０】
例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００５１】
１０  通信システム、２０  基地局、３０  移動局、４０  ネットワーク、２１０  通信部、２２０  Ｉ／Ｆ部、２３０  記憶部、２４０  制御部、ＡＮＴ  アンテナ。
【図１】
2013207562.tif 000003
【図２】
2013207562.tif 000004
【図３】
2013207562.tif 000005
【図４】
2013207562.tif 000006
【図５】
2013207562.tif 000007